(57)【要約】【課題】襟巻、ブレスレット、アンクレット、外套等の着脱構造を改良して、着脱を容易にする。【解決手段】巻付材１１の長さ方向の両側あるいは外套等の前身頃３２の開口部３１周縁に磁石２０に被覆した被覆材２１を縫い付け、あるいは、ボタン止めにより取り付けて、磁石２０を巻付材１１の両端から突出した位置、あるいは、前身頃３２の開口部周縁から突出した位置に設け、これら磁石２０を互いに磁着させて巻付材１１を環状に形状保持する、あるいは、前身頃３２の開口部３１を閉鎖する構成としている。【選択図】図１
2006188812.tif 000002
【特許請求の範囲】
【請求項１】
磁石に被覆した被覆材を巻付材の長さ方向の両側に縫い付け、あるいは、ボタン止めにより取り付けており、これら磁石を互いに磁着させて前記巻付材を環状に形状保持する構成としていることを特徴とする衣類。
【請求項２】
前記被覆材の磁石を内包した部分が前記巻付材の縁部から突出している請求項１に記載の衣類。
【請求項３】
前記巻付材が毛皮からなり、襟巻、ブレスレットあるいはアンクレットである請求項１または請求項２に記載の衣類。
【請求項４】
開口部を挟む左右の前身頃の対向する縁部を着脱自在とした衣類であって、
前記対向する縁部のうち、少なくとも一方の縁部に磁石に被覆した被覆材を縫い付け、あるいは、ボタン止めにより取り付けると共に、他方の縁部にも対となるように磁石を取り付けており、これら対向する磁石同士を磁着させて前記開口部を閉じる構成としていることを特徴とする衣類。
【請求項５】
前記被覆材の磁石を内包した部分が前記縁部から対向する縁部側へ突出している請求項４に記載の衣類。
【請求項６】
毛皮製の外套である請求項４または請求項５に記載の衣類。
【発明の詳細な説明】
【技術分野】
【０００１】
本発明は、衣類に関し、詳しくは、襟巻、ブレスレット、アンクレット、外套等の着脱構造を磁石により構成し、着脱を容易にするものである。
【背景技術】
【０００２】
従来、襟巻、ブレスレット、アンクレット等からなる衣類には人体に巻き付けて環状に形状を保持するため、様々な着脱構造が設けられている。
例えば、図１３に示す毛皮製の襟巻１では、一端に大型のクリップ２を設け、該クリップ２で他端の毛皮を挟んで、襟巻１を環状に形状を保持している。
また、図１４に示す毛皮製の襟巻３では、一端に係止爪４を設けると共に他端に係止枠５を設け、係止爪４を係止枠５内に挿入係止して、襟巻３を環状に形状を保持している。
【０００３】
しかしながら、前記襟巻１に設けたクリップ２による着脱構造では、大型のクリップ２で直接毛皮を挟むため、毛皮を傷めてしまう問題がある。
また、前記襟巻３の着脱構造では、毛皮には厚みがあり、かつ、毛皮の毛が邪魔になるため、係止爪４を係止枠５に挿入する作業が煩雑であり、着脱に手間取る問題がある。
【０００４】
また、開口部を挟む左右の前身頃の対向する縁部を着脱自在とした衣類においては、特開平８−１３２１１号公報（特許文献１）等において、左右両縁部に設けた磁石によって左右の前身頃を着脱する構造が開示されている。
【０００５】
しかしながら、前記特許文献１に開示されている構造は、前身頃の左右縁部に直接磁石を設けているため、薄い生地からなる衣類には適用できるが、厚みのある毛皮には適用できない。
【０００６】
【特許文献１】特開平８−１３２１１号公報
【発明の開示】
【発明が解決しようとする課題】
【０００７】
本発明は前記問題に鑑みてなされたものであり、襟巻、ブレスレット、アンクレット、外套等の着脱構造を改良して、着脱を容易にすることを課題としている。
【課題を解決するための手段】
【０００８】
前記課題を解決するため、本発明は、第１に、磁石に被覆した被覆材を巻付材の長さ方向の両側に縫い付け、あるいは、ボタン止めにより取り付けており、これら磁石を互いに磁着させて前記巻付材を環状に形状保持する構成としていることを特徴とする衣類を提供している。
【０００９】
前記構成によれば、本発明の衣類を着用する際には、巻付材を首等の人体に巻き付け、両端に設けた磁石同士を磁着させるだけで簡単に巻付材を環状に巻き付けた状態で形状保持して着用することができる。
また、着用した巻付材を取り外す際には、着脱部を挟んだ両側の巻付材を離反方向に引っ張るだけで磁石が外れ、巻付材を簡単に取り外すことができる。
よって、高齢者や障害者も容易に前記衣類を着用及び取り外しをすることができる。
【００１０】
また、前記磁石を衣類に直接取り付けるのではなく、磁石に被覆した被覆材を巻付材に縫い付け、あるいは、ボタン止めにより取り付けているため、磁石が不要となった場合には、被覆材を取り外すだけでよい。
さらに、巻付材に取り付けた磁石を他の巻付材の磁石と磁着させることにより、簡単に複数の巻付材を連結することができ、巻付材の長さを調節することができる。
なお、「巻付材の長さ方向の両側」とは、巻付材の長さ方向の両端に限らず、巻付材の長さ方向の中央から長さ方向の両方に所要間隔あけた位置を指す。
【００１１】
前記被覆材の磁石を内包した部分が前記巻付材の縁部から突出していることが好ましい。
前記のように、磁石を被覆した被覆材を巻付材に取り付けているため、磁石を巻付材から突出した位置に容易に設けることができる。このように、磁石を巻付材から突出した位置に設けておくと、巻付材が毛皮や厚みのある生地からなるものであっても、磁着する磁石間に巻付材が介在しないため、簡単に磁石によって巻付材を着脱することができる。
また、従来のようなクリップ止めや係止爪と係止枠による係止構造では巻付材の両端に重なりが生じてしまうが、前記のように磁石を巻付材から突出した位置に設けておけば、巻付材を巻き付けたときに重なりが生じない。これにより、巻付材を巻き付けたときの外観が良くなると共に、原皮を節約することができコストを低減することができる。
さらに、巻付材が毛皮からなる場合には、磁石が巻付材から突出した位置に設けられていても、毛皮の毛で隠れるため、外観を損なうこともない。
さらにまた、磁着させた部分をハンガー等に引っ掛けて巻付材をぶら下げて保管すると、毛皮の毛が他のものに接触しないため、毛癖を防止することができ、また、空気を満遍なく通すことができ、良好な状態で保管することができる。
【００１２】
前記巻付材としては、襟巻、ブレスレット、アンクレット、マフ、バッグカバー等が挙げられ、襟巻としては、マフラー、ネックレス、テイペット、カラー、ケープ、チョーカー、等が挙げられる。
【００１３】
また、本発明は第２に、開口部を挟む左右の前身頃の対向する縁部を着脱自在とした衣類であって、
前記対向する縁部のうち、少なくとも一方の縁部に磁石に被覆した被覆材を縫い付け、あるいは、ボタン止めにより取り付けると共に、他方の縁部にも対となるように磁石を取り付けており、これら対向する磁石同士を磁着させて前記開口部を閉じる構成としていることを特徴とする衣類を提供している。
【００１４】
前記構成によれば、本発明の衣類を着用する際には、対向する縁部に設けた磁石同士を磁着させるだけで簡単に開口部を閉じて着用することができる。
また、開口部を開ける際には、開口部を挟んだ両側の前身頃を離反方向に引っ張るだけで磁石が外れ、開口部を簡単に開けることができる。
【００１５】
前記被覆材の磁石を内包した部分を前記縁部から対向する縁部側へ突出させておくと、前記のように毛皮や厚みのある生地等からなる外套等の衣類にも磁石による着脱構造を採用することができる。
【００１６】
前記磁石を被覆する被覆材としては、本皮、合皮、レース等の生地等が挙げられる。
【発明の効果】
【００１７】
前述したように、第１の本発明によれば、衣類を着用する際には、巻付材を首等の人体に巻き付け、両端に設けた磁石同士を磁着させるだけで簡単に巻付材を環状に巻き付けた状態で形状保持して着用することができる。
また、着用した巻付材を取り外す際には、着脱部を挟んだ両側の巻付材を離反方向に引っ張るだけで磁石が外れ、巻付材を簡単に取り外すことができる。
【００１８】
同様に、第２の本発明によれば、衣類を着用する際には、対向する縁部に設けた磁石同士を磁着させるだけで簡単に開口部を閉じて着用することができる。
また、開口部を開ける際には、開口部を挟んだ両側の前身頃を離反方向に引っ張るだけで磁石が外れ、開口部を簡単に開けることができる。
【００１９】
さらに、第１、第２の本発明とも、磁石を被覆した被覆材を巻付材あるいは前身頃（以下、巻付材等と称す）に取り付けているため、磁石を巻付材等から突出した位置に容易に設けることができ、巻付材等が毛皮や厚みのある生地からなるものであっても、磁着する磁石間に巻付材等が介在しないため、簡単に磁石にって巻付材等を着脱することができる。
【発明を実施するための最良の形態】
【００２０】
本発明の実施形態を図面を参照して説明する。
図１乃至図３は、本発明の第１実施形態を示し、本実施形態の毛皮襟巻１０はカラーとして首に巻いて用いるものである。
【００２１】
毛皮襟巻１０は、円弧状に延在する帯状の巻付材１１の両端に、該両端から突出するように磁石２０を取り付けている。詳細には、一端開口の筒状の本皮からなる被覆材２１に円板状の磁石２０を収容し、該被覆材２１の開口側を、図３に示すように、毛皮１２の裏面と裏地１３との間の縁部に重ね合わせて介在させ、この重ね合わせた部分を縫い付けて、被覆材２１を巻付材１１に取り付けている。
【００２２】
前記構成によれば、前記毛皮襟巻１０を着用する際には、毛皮襟巻１０を着用者の首に巻き付け、両端の磁石２０を磁着させて毛皮襟巻１０を首に巻きつけた状態で簡単に環状に形状を保持することができる。
逆に毛皮襟巻１０を取り外す際には、磁着した磁石２０の両側の巻付材１１を離反する方向に引っ張るだけで磁石２０同士が外れ、毛皮襟巻１０を取り外すことができる。
また、磁石２０を巻付材１１の両端から突出した位置に設けているため、磁石２０同士を磁着させる際に、磁石２０間に毛皮からなる巻付材が介在されることがない。
【００２３】
なお、図１では、磁石２０に被覆した被覆材２１を図示しているが、被覆材２１は毛皮の毛で隠して目視できないようにすることができる。
また、本実施形態では、巻付材を毛皮により形成しているが、毛皮に限らず、編地や織地であってもよく、後述する実施形態でも同様である。
【００２４】
図４は、本発明の第１実施形態の変形例を示す。
本変形例では、巻付材１１の形状を第１実施形態と相違させて用途を異ならせており、図４（Ａ）はテイペット、（Ｂ）はケープ、（Ｃ）はチョーカー、（Ｄ）はブレスレット、（Ｅ）はアンクレット、（Ｆ）は両側から腕を挿入して用いるマフ、（Ｇ）はバッグカバーとして用いられる。
本変形例でも磁石を用いた着脱構造は第１実施形態と同様としているが、ケープやマフ、バッグカバーのように巻付材が大きな場合には、磁石を２組以上設けている。
【００２５】
図５及び図６は、本発明の第２実施形態を示す。
本実施形態では、磁石２０に被覆した被覆材２１の巻付材１１への取付方法を第１実施形態と相違させており、巻付材１１の両端にボタン１４を取り付ける一方、被覆材２１にボタン１４を通すためのスリット２２を設けている。被覆材２１は、磁石２０を収容した一端を円弧面とする一方、他端を平坦面としている。
被覆材２１を巻付材１１に取り付ける際には、巻付材１１のボタン１４を被覆材２１のスリット２２に通して、図６に示すように、ボタン１４を被覆材２１の外面に係止している。
【００２６】
前記構成によれば、巻付材１１に磁石２０を容易に着脱することができる。
なお、他の構成及び作用効果は第１実施形態と同様のため、同一の符号を付して説明を省略する。
【００２７】
図７は、第２実施形態の変形例を示す。
本変形例では、被覆材２１の形状を第２実施形態と相違させており、図７（Ａ）に示すように両端を平坦面としてもよいし、図７（Ｂ）に示すように両端を円弧面としてもよい。
このように、被覆材２１を様々な形状とすることにより、取り付ける巻付材２０に合わせて適当な被覆材２１を選択でき、機能性やデザイン性を高めることができる。
【００２８】
図８及び図９は、本発明の第３実施形態を示す。
本実施形態の毛皮襟巻１０は、巻付材１１の両端に第１実施形態と同様の磁石２０に被覆した被覆材２１をそれぞれ２つずつ取り付けていると共に、一端から所要間隔をあけた箇所にも磁石２０を間隔をあけて２つずつ並列配置している。
これにより、図９（Ａ）〜（Ｃ）に示すように、他端の磁石２０と磁着させる磁石を替えることにより環状部分の大きさを変えることができる。
【００２９】
図１０は、本発明の第４実施形態を示す。
本実施形態の毛皮襟巻１０は前記のように帯状の巻付材ではなく、巻付材１５の長さ方向に複数の穴１６を間隔をあけて設けている。
この場合、磁石２０を収容した被覆材２１を直接毛皮に縫い付けるか、あるいは、第２実施形態のようにボタン止めしている。
【００３０】
図１１は、本発明の第５実施形態を示す。
本実施形態の襟巻２５は毛皮ではなく、織地からなるカシミヤ製のマフラーである。
本実施形態では、磁石２０を収容した被覆材２１を、第２実施形態と同様、織地にボタン止めしているが、直接織地に縫い付けてもよい。
なお、襟巻２５の生地は織地に限らず編地でもよく、また、襟巻２５の素材はカシミヤに限らず、綿、ウール、シルク等の天然繊維や化学繊維等でもよい。
【００３１】
図１２は、本発明の第６実施形態を示す。
本実施形態の衣類は、毛皮からなる外套３０であり、前面の開口部３１を挟む左右の前身頃３２の対向する縁部に上下方向に間隔をあけて第１実施形態と同様の磁石２０を収容した被覆材２１を対向させて取り付けている。
本実施形態では第１実施形態と同様、被覆材２１を裏地とともに毛皮に縫い付けて磁石２０を開口部３１側に突出させているが、第２実施形態のように、被覆材２１をボタン止めにより外套３０に取り付けてもよい。
【００３２】
前記構成によれば、対向する磁石２０を磁着させることにより、外套２０の開口部３１を閉じることができ、左右の前身頃３２を離反する方向に引っ張れば磁石が外れて開口部３１を開くことができる。
【図面の簡単な説明】
【００３３】
【図１】本発明の第１実施形態の毛皮襟巻を巻きつけた状態を示す図面である。
【図２】毛皮襟巻を示す図面である。
【図３】毛皮襟巻のＡ−Ａ線断面図である。
【図４】（Ａ）〜（Ｇ）は第１実施形態の変形例である。
【図５】本発明の第２実施形態を示し、（Ａ）は巻付材から磁石を取り外した状態を示す図面、（Ｂ）は巻付材に磁石をボタン止めにより取り付けた状態を示す図面である。
【図６】毛皮襟巻のＢ−Ｂ線断面図である。
【図７】本発明の第２実施形態の変形例である。
【図８】本発明の第３実施形態の毛皮襟巻を示す図面である。
【図９】（Ａ）〜（Ｃ）は毛皮襟巻をそれぞれ異なる大きさに巻き付けた状態を示す図面である。
【図１０】本発明の第４実施形態の毛皮襟巻を示す図面である。
【図１１】本発明の第５実施形態の襟巻を示す図面である。
【図１２】本発明の第５実施形態の外套を示す図面である。
【図１３】従来例を示す図面である。
【図１４】他の従来例を示す図面である。
【符号の説明】
【００３４】
１０  毛皮襟巻
１１  巻付材
１２  毛皮
１４  ボタン
２０  磁石
２１  被覆材
２５  襟巻
３０  外套
３１  開口部
３２  前身頃
【図１】
2006188812.tif 000003
【図２】
2006188812.tif 000004
【図３】
2006188812.tif 000005
【図４】
2006188812.tif 000006
【図５】
2006188812.tif 000007
【図６】
2006188812.tif 000008
【図７】
2006188812.tif 000009
【図８】
2006188812.tif 000010
【図９】
2006188812.tif 000011
【図１０】
2006188812.tif 000012
【図１１】
2006188812.tif 000013
【図１２】
2006188812.tif 000014
【図１３】
2006188812.tif 000015
【図１４】
2006188812.tif 000016